(57)【特許請求の範囲】
【請求項１】
三方が開口された断面コ字型の二つの枠体を係合することにより両側に開口部を有するように形成された箱型のハウジング本体と、該ハウジング本体の一方の開口部に組み付けられる表示部を設けた表蓋と、前記ハウジング本体の他方の開口部に組み付けられる裏蓋と、を備えてなるＧＰＳ受信機用ハウジングにおいて、
前記二つの枠体のうち、一方の枠体には、他方の枠体との係合部側の内側壁端部に、複数の内側に向けた凸部が設けられるとともに、他方側の内側壁に沿って延出する少なくとも２つ以上の係合突起と、を備え、他方の枠体の内側壁の係合部側の端部には、前記凸部と係合する係合部と、該係合部から連続して形成される係合突起と、を備え、前記二つの枠体を当接させると共に前記凸部と前記係合部を係合させて、それぞれの枠体に設けられた前記各係合突起の対向する面の間を、一定の距離を保って配設し、前記各係合突起の間に配設される部分が、前記一定の距離より大きい径を持つ係合ピンを、前記一定の距離を保って配設されている係合突起の間に前記二つの枠体の一方の枠体に設けられるピン支持部より挿入し、前記係合突起の係合面を押圧しながら挿通させて、前記二つの枠体を圧接して固定することを特徴とするＧＰＳ受信機用ハウジング。
【請求項２】
前記二つの枠体は他方の枠体との係合部側の端部に段差が設けられて、該段差を有する枠体のうち一方の枠体の係合部にはパッキンが設けられ、他方の枠体には凸条が設けられて、前記二つの枠体の当接部で防水性を保つことを特徴とする請求項１記載のＧＰＳ受信機用ハウジング。
【発明の詳細な説明】
【０００１】
【発明の属する技術分野】
本発明は、測量機におけるハウジングに係り、特にＧＰＳ受信機用のハウジングに関する。
【０００２】
【従来の技術】
図９及び図１０で示されるように、従来のＧＰＳ受信機用ハウジングにおいては、三方が開口された断面コ字型の枠体２と、同じく三方が開口された断面コ字型の枠体３とが組み付けられて、箱型のハウジング本体１が構成されている。この箱型のハウジング本体１の開口部の一方１ａには表示部の設けられた表蓋４が、他方の開口部１ｂには裏蓋５が組付けられている。
【０００３】
そして、前記枠体２と枠体３との当接部には、防水を図るためパッキン（図示せず）が介在され、締結ねじ６によって枠体２と枠体３とが締結されて、当接部の防水がとられている。
【０００４】
【発明が解決しようとする課題】
しかし、前記図９及び図１０で示す従来技術においては、二つの枠体をねじ締結するために、ねじ６を挿通させるためのボス７や、ねじ６に螺合する螺合部８を、枠体内に形成する必要があり、それだけハウジング本体１内のスペースが狭くなり、所定のハウジング内容積を確保するにはハウジングが大型化するという問題があった。
【０００５】
本発明の目的は、ＧＰＳ受信機用ハウジングにおいて、ハウジング本体を構成する二つの枠体を、ハウジング本体内のスペースを狭くすることなく組付けることにより、ハウジング本体の小型化を可能にするＧＰＳ受信機用ハウジングを提供することにある。
【０００６】
【課題を解決するための手段】
本願請求項１のＧＰＳ受信機用ハウジングは、三方が開口された断面コ字型の二つの枠体を係合することにより両側に開口部を有するように形成された箱型のハウジング本体と、該ハウジング本体の一方の開口部に組み付けられる表示部を設けた表蓋と、前記ハウジング本体の他方の開口部に組み付けられる裏蓋と、を備えてなるＧＰＳ受信機用ハウジングにおいて、前記二つの枠体のうち、一方の枠体には、他方の枠体との係合部側の内側壁端部に、複数の内側に向けた凸部が設けられるとともに、他方側の内側壁に沿って延出する少なくとも２つ以上の係合突起と、を備え、他方の枠体の内側壁の係合部側の端部には、前記凸部と係合する係合部と、該係合部から連続して形成される係合突起と、を備え、前記二つの枠体を当接させると共に前記凸部と前記係合部を係合させて、それぞれの枠体に設けられた前記各係合突起の対向する面の間を、一定の距離を保って配設し、前記各係合突起の間に配設される部分が、前記一定の距離より大きい径を持つ係合ピンを、前記一定の距離を保って配設されている係合突起の間に前記二つの枠体の一方の枠体に設けられるピン支持部より挿入し、前記係合突起の係合面を押圧しながら挿通させて、前記二つの枠体を圧接して固定することを特徴とする。
【０００７】
なお、前記二つの枠体は他方の枠体との係合部側の端部に段差が設けられて、該段差を有する枠体のうち一方の枠体の係合部にはパッキンが設けられ、他方の枠体には凸条が設けられて、前記二つの枠体の当接部で防水性を保つようにすると良い。
【０００８】
【発明の実施の形態】
本発明に係るＧＰＳ受信機用ハウジングのハウジング本体１０は、三方が開口された断面コ字型の枠体２０と枠体３０とを係合することにより両側に開口部を有するように形成される。このハウジング本体１０の一方の開口部１０ａには表示部４２を設けた表蓋４０が組み付けられ、他方の開口部１０ｂには、裏蓋５０が組み付けられる。
【０００９】
そして枠体２０の内側壁において、枠体３０との係合部側端部に、複数の内側に向けた凸部２７と、枠体３０の内側壁に沿って延出する少なくとも２つ以上の係合突起２６ｂと、が備えられている。枠体３０の内側壁においては、枠体２０との係合部側端部に、前記凸部２７と係合する係合部３６ａと、この係合部３６ａから連続して形成される係合突起３６ｂと、が備えられている。
【００１０】
次に、凸部２７と係合部３６ａを係合させる。そして、枠体２０に設けられた係合突起２６ｂと、枠体３０に設けられた係合突起３６ｂの対向する面を、一定の距離Ｘを保って配設する。
【００１１】
係合ピン６０は、上記一定の距離Ｘより大きい径を持ち、枠体３０に設けられるピン支持部７０より挿入される。この係合ピン６０を、一定の距離Ｘを保って配設されている係合突起２６ｂと係合突起３６ｂの間に挿入し、この係合突起２６ｂと係合突起３６ｂの係合面２６ｃ，３６ｃを押圧しながら挿通させて、枠体２０と枠体３０を圧接して固定する。
【００１２】
上記のように、ハウジング本体１０を構成する枠体２０と枠体３０とを、枠体２０に設けられた係合突起２６ｂと、枠体３０に設けられた係合突起３６ｂとの間に、係合ピン６０を挿通させて圧接させて組付けることにより、二つの枠体をねじ締結するときに必要な、ねじを挿通させるためのボス部や、ねじに螺合する螺合部を枠体内に設ける必要がなくなり、ハウジング本体のスペースを狭くすることがないため、ハウジング本体の小型化を可能にするＧＰＳ受信機用ハウジングを得ることができる。
【００１３】
【実施例】
以下、本発明の一実施例を図面に基づいて説明する。なお、以下に説明する部材，配置等は本発明を限定するものでなく、本発明の趣旨の範囲内で種々改変することができるものである。
【００１４】
図１乃至図８は本発明の一実施例を示すものであり、図１は表蓋を外したＧＰＳ受信機用ハウジングの斜視図、図２は係合部の拡大図、図３及び図４は枠体を組付ける手順の説明図、図５及び図６は枠体の組付け部の拡大断面図、図７は図１のＡ−Ａ線断面図、図８は図１のＢ−Ｂ断面図である。
【００１５】
本例のＧＰＳ受信機用ハウジングＳは、ハウジング本体１０と、表蓋４０と、裏蓋５０と、を主要構成要素としている。
【００１６】
図１で示すように、本例のハウジング本体１０は、三方が開口された断面コ字型の枠体２０と、同じく三方が開口された断面コ字状の枠体３０より構成されている。
【００１７】
図１及び図２で示すように、前記枠体２０の両側に位置する側壁２０ａの端部は、枠体３０の側壁３０ａの端部と係合して、ハウジング本体１０を形成している。
【００１８】
図２で示すように、本例の枠体２０は、側壁２０ａの係合部側端部において、段差２１が形成され、枠体３０は、側壁３０ａの係合部側端部において、段差３１が形成されている。この段差２１は、内面側が低くなっており、一方段差３１は、内面側が高くなっており、互いに嵌合するように形成されている。また、段差３１は、内面側の段端部において、凸条３２が形成されている。
【００１９】
前記段差２１と、段差３１との間にはパッキン２４が介在されている。このパッキン２４は、長尺方向の長さを、ハウジング本体１０の開口部１０ａから開口部１０ｂまでの長さと同一に形成され、枠体３０に設けられた段差３１の内面側の端部と同一の幅に形成されており、段差２１と、段差３１との嵌合部に固定される。
【００２０】
本例の枠体２０における側壁２０ａは、枠体３０との係合部側の端部内面上に、一対のフック２６を設けている。このフック２６は、上部に２本の脚からなる取付部２６ａが形成されており、この取付部２６ａは側壁２０ａ上に固定されている。そしてこの取付部２６ａから下方に延出した端部には係合突起２６ｂが形成されており、この係合突起２６ｂは、側壁２０ａと係合する側壁３０ａの内側壁に沿って延出する。
【００２１】
前記側壁２０ａ上において、前記一対のフック２６の間には、一対のリブ２７が設けられている。このリブ２７は、枠体３０との係合部側が最も低くなるように傾斜しており、断面Ｖ字型のくさび状に形成されている。
【００２２】
一方、本例の枠体３０の、側壁３０ａの枠体２０との係合部側の端部内面には、フック３６が一対設けられている。このフック３６は、下方に係合突起３６ｂが形成され、この係合突起３６ｂから連続して、上部に矩形枠型の係合部３６ａが形成されている。この係合部３６ａは、枠体２０の側壁２０ａに沿って延出しており、リブ２７の鉛直線上に配置されて、リブ２７と係合するように構成されている。
【００２３】
また本例の枠体３０の、開口部１０ａ側と、開口部１０ｂ側のそれぞれの端部には、ピン支持部７０が形成されている。このピン支持部７０には、ナット７０ａが埋め込まれている。これは次述する係止ピン６０を挿通させるものである。
【００２４】
本例の係合ピン６０は、図３で示すように、棒状の長尺部材６２の両端部に雄ねじ部６１が設けられている。そして一方の端部には前記雄ねじ部６１から連続して形成される頭部６３が設けられている。雄ねじ部６１は、前記ナット７０ａと螺合するように形成されている。また、長尺部材６２の径は、前記ナット７０ａの径よりも若干小さめに形成されており、ナット７０ａを自由に挿通する。
【００２５】
本例の表蓋４０は、図１で示すように、ハウジング本体１０の一方の開口部１０ａに取り付けられるものであり、この表蓋４０には表示部４２が設けられている。また他方の開口部１０ｂには、裏蓋５０が取り付けられる。表蓋４０及び裏蓋５０には、孔４６がそれぞれ４箇所設けられている。
【００２６】
上記ハウジング本体１０の開口部１０ａ及び１０ｂには、上記表蓋４０と裏蓋５０をハウジング本体１０へ取り付けるための取付部４４がそれぞれ４箇所設けられている。この取付部４４にはナット４４ａが埋め込まれている。このナット４４ａは次述するねじ４５を螺合させるものである。
【００２７】
ねじ４５は、雄ねじ部４５ａと、頭部４５ｂを有し、雄ねじ部４５ａの径は、前記孔４６の径よりも若干小さめに形成されており、孔４６を自由に挿通する。そして頭部４５ｂの径は孔４６の径よりも大きく形成されており、この頭部４５ｂは孔４６と係合して、孔４６においてねじ４５が貫通しないように構成されている。
【００２８】
次に枠体２０と、枠体３０を組み付けてハウジング本体１０を形成する方法について説明する。
【００２９】
図２で示すように、本例の枠体２０の側壁２０ａの係合部側の端部には段差２１が形成されており、一方枠体３０の側壁３０ａの係合部側の端部には、段差３１が形成されている。この段差２１と段差３１との間にパッキン２４を介在させて、枠体２０と枠体３０とを係合させる。
【００３０】
枠体２０と枠体３０とを当接させることにより、図３で示すように、枠体２０に設けられているフック２６の係合突起２６ｂは枠体の側壁３０ａへ延出し、枠体３０に設けられているフック３６の係合部３６ａは枠体２０の側壁２０ａへ延出する。
【００３１】
そして枠体２０に形成されたリブ２７は、枠体３０との係合部側に向けて低くなるように傾斜しており、断面Ｖ字型のくさび状に形成されているので、枠体３０から延出しているフック３６の係合部３６ａが、リブ２７の傾斜を通って弾性係合し、枠体２０と枠体３０が固定される。
【００３２】
図３で示すように、フック２６の係合突起２６ｂにおける上面２６ｃと、フック３６の係合突起３６ｂにおける下面３６ｃとの間、すなわち、係合突起２６ｂと係合突起３６ｂの対向する面の間に、距離Ｘが形成されるように構成される。
【００３３】
そして、枠体３０に設けられたピン支持部７０のナット７０ａに係合ピン６０を挿通する。係合ピン６０の端部をピン支持部７０のナット７０ａに挿入し、係合ピン６０を回転させながら、ピン支持部７０を貫通させる。そして、係合ピン６０を、係合突起２６ｂの上面２６ｃと、係合突起３６ｂの下面３６ｃとの間を通して、反対側のピン支持部７０まで挿通させる。
【００３４】
このとき、係合ピン６０の外径、すなわち、係合突起２６ｂの上面２６ｃと、係合突起３６ｂの下面３６ｃとの間に配設される部分は前記距離Ｘよりわずかに大きくなるように設定されている。よって、係合ピン６０は、係合突起２６ｂの上面２６ｃと、係合突起３６ｂの下面３６ｃとの間を押圧しながら挿通して、上面２６ｃを押し下げ、下面３６ｃを押し上げる。即ち係合ピン６０は、フック２６を下方向へ、フック３６を上方向へ押圧する。
【００３５】
よって、フック２６の配設されている枠体２０は下方向へ、フック３６の配設されている枠体３０は上方向へ押圧されて、枠体２０と枠体３０とが係合部において圧接される。こうしてリブ２７と係合部３６ａによって固定されていた枠体２０と、枠体３０とは圧接されて、よりしっかりと係合されることになる。
【００３６】
このとき、枠体３０の段差３１には凸条３２が設けられているので、枠体２０と枠体３０が押圧して固定されることにより、パッキン２４が凸条３２によって圧縮され、図５で示すように上枠体２０と下枠体３０の係合部における隙間を埋めて、防水性を保つことができる。
【００３７】
図３及び図６で示すように、係合ピン６０の両端部には雄ねじ部６１が設けられている。この雄ねじ部６１は、枠体３０の開口部１０ａ側と、開口部１０ｂ側にそれぞれ設けられた前記ピン支持部７０において、このピン支持部７０に埋設一体化されるナット７０ａと螺合して固定される。
【００３８】
このように、係合ピン６０の雄ねじ部６１をナット７０ａに螺合させることで、係合ピン６０は軸方向に拘束され、係合ピン６０が係合突起３６ｂと係合突起２６ｂ間において係合位置から外れることがない。
【００３９】
また、枠体２０と枠体３０とを固定するために、係合ピン６０をピン支持部７０へ挿通する際、開口部１０ａ側と開口部１０ｂ側に設けられているピン支持部７０の、いずれの側から係合ピン６０を挿通させても良い。
【００４０】
なお、本実施例においては、リブ２７と、フック２６と、フック３６について、それぞれ一対で配設されている例を示したが、少なくとも２つ以上で同数で配設されていれば良い。
【００４１】
また、枠体２０と枠体３０の配置について、本例では枠体２０が枠体３０の上方に配設されている例を示したが、枠体３０を上方にして組付けても、或いは枠体２０と枠体３０を並列させて組付けても良い。
【００４２】
次に、表蓋４０と裏蓋５０の、ハウジング本体１０への組付け方法について説明する。
【００４３】
まず表蓋４０とハウジング本体１０の開口部１０ａと、また裏蓋５０とハウジング本体１０の開口部１０ｂとを、それぞれ接合させる。そして、ねじ４５を表蓋４０及び裏蓋５０に設けられた孔４６を介して、ねじ４５とナット４４ａを螺合させることにより、表蓋４０と裏蓋５０をハウジング本体１０へ組み付ける。
【００４４】
【発明の効果】
以上のように、本発明によれば、ハウジング本体を構成する二つの枠体を、それぞれの枠体に設けられた係合突起の間に係合ピンを挿通し、二つの枠体を圧接させて組付けることにより、ねじを挿通させるためのボス部や、ねじに螺合する螺合部を枠体内に設ける必要がなくなり、ハウジング本体のスペースを狭くすることがないため、ハウジング本体を小型化することができる。
【図面の簡単な説明】
【図１】本発明に係るＧＰＳ受信機用ハウジングの斜視図である。
【図２】本発明に係るＧＰＳ受信機用ハウジングの要部拡大図である。
【図３】本発明に係るＧＰＳ受信機用ハウジングの組付けを示す説明図である。
【図４】本発明に係るＧＰＳ受信機用ハウジングの組付けを示す説明図である。
【図５】本発明に係るＧＰＳ受信機用ハウジングの係合部における拡大断面図である。
【図６】本発明に係るＧＰＳ受信機用ハウジングの係合部における拡大断面図である。
【図７】図１のＡ−Ａ断面図である。
【図８】図１のＢ−Ｂ断面図である。
【図９】従来例を示す説明断面図である。
【図１０】従来例を示す説明断面図である。
【符号の説明】
１０  ハウジング本体
２０  枠体
２０ａ  側壁
２６  フック
２６ａ  取付部
２６ｂ  係合突起
２６ｃ  面
２７  リブ
３０  枠体
３０ａ  側壁
３６  フック
３６ａ  係合部
３６ｂ  係合突起
３６ｃ  面
４０  表蓋
４２  表示部
４４  取付部
４４ａ  ナット
４５  ねじ
４６  孔
５０  裏蓋
６０  係合ピン
６１  雄ねじ部
６３  頭部
７０  ピン支持部
７０ａ  ナット
【図１】
0003818696.tif 000002
【図２】
0003818696.tif 000003
【図３】
0003818696.tif 000004
【図４】
0003818696.tif 000005
【図５】
0003818696.tif 000006
【図６】
0003818696.tif 000007
【図７】
0003818696.tif 000008
【図８】
0003818696.tif 000009
【図９】
0003818696.tif 000010
【図１０】
0003818696.tif 000011